(57)【要約】【課題】内外の温度差を軽減することのできる荷受けボックスを提案する。【解決手段】荷受けボックス１は、建物の外壁を屋内外に貫通するように設置される。荷受けボックス１は、荷物を収納する収納空間Ｓ１を内部に有する箱２と、箱２の屋外側に露出する部分に設けられた屋外側開口２０と、屋外側開口２０を開閉する屋外側扉３を備える。さらに荷受けボックス１は、箱２の屋内側に露出する部分に設けられた屋内側開口２１と、屋内側開口２１を開閉する屋内側扉５を備える。箱２は、箱本体２２と、箱本体２２の屋外側に位置する断熱枠２３を含む。屋外側扉３と箱本体２２は、断熱枠２３を挟んで一体に構成されている。【選択図】図１
2018139764.tif 000002
【特許請求の範囲】
【請求項１】
建物の外壁を屋内外に貫通するように設置される荷受けボックスであって、
荷物を収納する収納空間を内部に有する箱と、
前記箱の屋外側に露出する部分に設けられた屋外側開口と、
前記屋外側開口を開閉する屋外側扉と、
前記箱の屋内側に露出する部分に設けられた屋内側開口と、
前記屋内側開口を開閉する屋内側扉と、を備え、
前記箱は、
箱本体と、
前記箱本体の屋外側に位置する断熱枠と、を含み、
前記屋外側扉と前記箱本体とは、前記断熱枠を挟んで一体に構成されていることを特徴とする荷受けボックス。
【請求項２】
第二屋外側扉をさらに備え、
前記第二屋外側扉は、前記屋外側扉よりも断熱性が高く、閉じた状態で前記屋外側扉を屋外側から覆うように構成されていることを特徴とする請求項１に記載の荷受けボックス。
【請求項３】
前記第二屋外側扉は、閉じた状態で屋内側を向く面に凹部を有し、
前記凹部は、前記屋外側扉と前記第二屋外側扉が閉じた状態にあるときに、前記屋外側扉が嵌まるように構成されていることを特徴とする請求項２に記載の荷受けボックス。
【請求項４】
前記箱に含まれる断熱材と、
前記箱の内部に設けられる仕切り材と、をさらに備え、
前記仕切り材は、前記箱の内部を、前記収納空間と、前記収納空間の側方に位置し且つ郵便物が収納される第二収納空間と、に仕切るように構成されていることを特徴とする請求項１乃至３のいずれか一項に記載の荷受けボックス。
【請求項５】
前記箱本体は、天板と、底板と、第一側板と、前記第一側板に対向する第二側板と、を一体に含み、
前記断熱材は、前記天板を覆う第一断熱材と、前記底板を覆う第二断熱材と、前記第一側板を覆う第三断熱材と、前記第二側板を覆う第四断熱材を含み、
前記第一断熱材は、前記天板の下面を覆い、前記仕切り材と前記天板の間に介在することを特徴とする請求項４に記載の荷受けボックス。
【請求項６】
前記仕切り材は、前記箱の前記内部を、前記収納空間と前記第二収納空間とに仕切る第一仕切り板と、前記第一仕切り板の屋外側の端部から前記第一側板に向けて延長された第二仕切り板と、を含み、
前記第三断熱材は、前記第一側板のうち前記内部を向く面を覆い、前記第二仕切り板と前記第一側板の間に介在することを特徴とする請求項５に記載の荷受けボックス。
【請求項７】
前記底板の下面は、前記第二断熱材で覆われ、
前記底板の上面は、前記荷物及び前記郵便物が置かれる受け面を構成することを特徴とする請求項５または６に記載の荷受けボックス。
【発明の詳細な説明】
【技術分野】
【０００１】
本発明は、荷受けボックスに関する。
【背景技術】
【０００２】
特許文献１には、家屋の玄関の壁を貫通するように設けられた受け箱と、受け箱の前部の開口部を開閉する前蓋を備えた宅配物受装置が記載されている。
【先行技術文献】
【特許文献】
【０００３】
【特許文献１】特開平７−３２７８０９号公報
【発明の概要】
【発明が解決しようとする課題】
【０００４】
特許文献１に記載の宅配物受装置では、受け箱の内外で温度差があるときに、受け箱に結露が生じる場合がある。この場合、受け箱の外面に生じた結露が、壁の屋内側の壁紙を劣化させたり、受け箱の内面に生じた結露が、受け箱内の荷物を濡らすおそれがある。
【０００５】
上記事情に鑑みて、本発明は、内外の温度差を軽減することのできる荷受けボックスを提案することを、目的とする。
【課題を解決するための手段】
【０００６】
本発明に係る一態様の荷受けボックスは、下記の特徴を備える。
【０００７】
一態様の荷受けボックスは、建物の外壁を屋内外に貫通するように設置される。一態様の荷受けボックスは、荷物を収納する収納空間を内部に有する箱と、前記箱の屋外側に露出する部分に設けられた屋外側開口と、前記屋外側開口を開閉する屋外側扉と、を備える。さらに一態様の荷受けボックスは、前記箱の屋内側に露出する部分に設けられた屋内側開口と、前記屋内側開口を開閉する屋内側扉と、を備える。
【０００８】
前記箱は、箱本体と、前記箱本体の屋外側に位置する断熱枠と、を含む。前記屋外側扉と前記箱本体とは、前記断熱枠を挟んで一体に構成されている。
【発明の効果】
【０００９】
本発明は、内外の温度差を軽減することのできる荷受けボックスを提案することができる。
【図面の簡単な説明】
【００１０】
【図１】図１は、本発明に係る実施形態１の荷受けボックスを示す斜視図である。
【図２】図２は、同上の荷受けボックスを示す他の斜視図である。
【図３】図３は、同上の荷受けボックスを示す分解斜視図である。
【図４】図４Ａは、同上の荷受けボックスの施工構造の一例を示す斜視図であり、図４Ｂは、同上の施工構造において、第二屋外側扉が開いた状態を示す斜視図である。
【図５】図５Ａは、図４ＡのＡ−Ａ線における断面図であり、図５Ｂは、図５ＡのＢ部分の拡大図であり、図５Ｃは、図５ＡのＣ部分の拡大図である。
【図６】図６Ａ〜Ｄは、同上の施工構造の施工方法の一例を順に示す斜視図である。
【発明を実施するための形態】
【００１１】
（実施形態１）
図１及び図２には、実施形態１の荷受けボックス１が示されている。荷受けボックス１は、建物の外壁１００を屋内外に貫通するように設置される（図５Ａ参照）。荷受けボックス１は、配達された宅配物と郵便物を受け取るためのボックスである。
【００１２】
荷受けボックス１は、箱２と、屋外側扉３と、第二屋外側扉４と、屋内側扉５と、仕切り材６と、棒状部材１２（図３参照）を備える。箱２は、屋外側に露出する部分に設けられた屋外側開口２０と、屋内側に露出する部分に設けられた屋内側開口２１を有する。
【００１３】
本実施形態では、屋外側開口２０は、箱２の屋外側の端部に位置し、屋内側開口２１は、箱２の屋内側の端部に位置する。屋外側開口２０と屋内側開口２１は、互いに対向して位置する。以下では、開口２０，２１が並ぶ方向を前後方向とし、平面視において前後方向に直交する方向を左右方向として、各構成について説明する。各図において、矢印Ｘで示す方向が前方であり、矢印Ｙで示す方向が右方であり、矢印Ｚで示す方向が上方である。
【００１４】
まず、箱２について説明する。
【００１５】
箱２は、図３に示すように、箱本体２２と、箱本体２２の屋外側に位置する断熱枠２３と、断熱枠２３の屋外側に位置する取付枠２４と、箱本体２２内及び取付枠２４内に位置する断熱材７と、箱２の内面を構成する化粧板８を含む。箱２は、上下方向に長い縦長の箱である。
【００１６】
箱本体２２は、天板２２０と、底板２２１と、第一側板２２２と、第一側板２２２に対向する第二側板２２３を一体に含む。第一側板２２２は、右の側板であり、第二側板２２３は、左の側板である。天板２２０、底板２２１、第一側板２２２、及び第二側板２２３のそれぞれは、金属製である。
【００１７】
断熱材７は、天板２２０を覆う第一断熱材７０と、底板２２１を覆う第二断熱材７１と、第一側板２２２を覆う第三断熱材７２と、第二側板２２３を覆う第四断熱材７３を含む。断熱材７０，７１，７２，７３のそれぞれは、少なくとも１つの矩形板状である。断熱材７０，７１，７２，７３のそれぞれは、例えば、ウレタンフォームである。
【００１８】
本実施形態では、天板２２０と底板２２１のそれぞれは、下方に開口した扁平な箱型である。詳しくは、天板２２０と底板２２１のそれぞれは、矩形板状の本体部と、本体部の各端辺から下方に向けて延長された断面Ｌ字状の周縁部を有する。
【００１９】
第一側板２２２は、左方に開口した扁平な箱型である。詳しくは、第一側板２２２は、矩形板状の本体部と、本体部の各端辺から左方に向けて延長された断面Ｌ字状の周縁部を有する。第二側板２２３は、右方に開口した扁平な箱型である。詳しくは、第二側板２２３は、矩形板状の本体部と、本体部の各端辺から右方に向けて延長された断面Ｌ字状の周縁部を有する。
【００２０】
天板２２０と第一断熱材７０は、第一断熱材７０が天板２２０の本体部の下面を覆い、天板２２０の周縁部が第一断熱材７０を囲むように一体化されて、１枚の矩形板をなす。天板２２０と第一断熱材７０は、箱本体２２の上壁２５を構成する。
【００２１】
底板２２１と第二断熱材７１は、第二断熱材７１が底板２２１の本体部の下面を覆い、底板２２１の周縁部が第二断熱材７１を囲むように一体化されて、１枚の矩形板をなす。底板２２１と第二断熱材７１は、箱本体２２の下壁２６を構成する。
【００２２】
第一側板２２２と第三断熱材７２は、第三断熱材７２が第一側板２２２の本体部の左面（つまり箱２の内部を向く面）を覆い、第一側板２２２の周縁部が第三断熱材７２を囲むように一体化されて、１枚の矩形板をなす。第一側板２２２と第三断熱材７２は、箱本体２２の右の側壁２７を構成する。
【００２３】
第二側板２２３と第四断熱材７３は、第四断熱材７３が第二側板２２３の本体部の右面（つまり箱２の内部を向く面）を覆い、第二側板２２３の周縁部が第四断熱材７３を囲むように一体化されて、１枚の矩形板をなす。第二側板２２３と第四断熱材７３は、箱本体２２の左の側壁２８を構成する。
【００２４】
壁２５，２６，２７，２８は、正面視矩形枠状に組み合わさって、箱本体２２を構成する。箱本体２２の後端部の内側に、屋内側開口２１が位置する。箱本体２２の後端の右端部の上端と下端のそれぞれには、ヒンジ部２９が取り付けられる（図２参照）。ヒンジ部２９には、屋内側扉５が回転自在に連結される。
【００２５】
断熱枠２３は、天板２２０、底板２２１、第一側板２２２、及び第二側板２２３よりも断熱性の高い材料で形成されている。断熱枠２３は、例えば、樹脂製である。断熱枠２３は、正面視矩形枠状の本体部２３０と、本体部２３０から屋外側に延長された左右一対の第一取付片２３１と、本体部２３０から屋内側に延長された左右一対の第二取付片２３２を含む。
【００２６】
本体部２３０は、左右一対の縦枠部分２３３と上下一対の横枠部分２３４を含む。左右一対の縦枠部分２３３のそれぞれの左右方向内側の端部から、取付片２３１，２３２のそれぞれが、屋内外方向に延長されている。取付片２３１，２３２のそれぞれは、各縦枠部分２３３の全長に亘っている。
【００２７】
取付枠２４は、正面視矩形枠状の枠本体２４０と、枠本体２４０に固定された平断面Ｌ字状の左右一対の固定片２４１と、枠本体２４０に固定された上下一対のヒンジ部２４２と、枠本体２４０から屋外側に延長された水切り部２４３を含む。枠本体２４０、固定片２４１、ヒンジ部２４２、及び水切り部２４３のそれぞれは、金属製である。
【００２８】
枠本体２４０は、左右一対の縦枠部分２４４と上下一対の横枠部分２４５を含む。左右一対の縦枠部分２４４のそれぞれの左右方向外側の面に、固定片２４１が上下方向に亘って固定されている。固定片２４１は、その上端部が縦枠部分２４４よりも上側に突出し、その下端部が縦枠部分２４４よりも下側に突出している。上下一対の横枠部分２４５のそれぞれの右端部の前面に、ヒンジ部２４２が固定されている。枠本体２４０の内側に、屋外側開口２０が位置する。
【００２９】
上側の横枠部分２４５と下側の横枠部分２４５には、仕切り材６の前部分が引っ掛けられる引掛け部材１３が設けられる（図１参照）。引掛け部材１３は、少なくとも屋外側（前側）に開口した差込溝１３０を有する。
【００３０】
断熱材７は、取付枠２４内に位置する断熱材として、複数の第五断熱材７４を含む。複数の第五断熱材７４のそれぞれは、例えば、直方体状である。
【００３１】
左右一対の縦枠部分２４４のそれぞれは、左右方向内側に向けて開口した凹みを有し、この凹みに第五断熱材７４が配されている。上下一対の横枠部分２４５のそれぞれは、下方に向けて開口した凹みを有し、この凹みに第五断熱材７４が配されている。
【００３２】
一対のヒンジ部２４２のそれぞれは、屋外側扉３が回転自在に連結される第一連結部２４６と、第二屋外側扉４が回転自在に連結される第二連結部２４７を有する。第二連結部２４７には、付勢部材が設けられており、この付勢部材は第二屋外側扉４を閉じる方向に付勢する。第二連結部２４７は、第一連結部２４６よりも右側に位置している。
【００３３】
水切り部２４３は、上側の横枠部分２４５の下端部から屋外側に延長された上片部２４３０と、左右一対の縦枠部分２４４の左右方向内側の端部から屋外側に延長された側片部２４３１を含む。上片部２４３０と一対の側片部２４３１のそれぞれは、長手方向に直交する断面形状がＬ字状である。
【００３４】
上述した箱本体２２、断熱枠２３、及び取付枠２４は、断熱枠２３の一対の第一取付片２３１が、取付枠２４の一対の縦枠部分２４４に固定され、断熱枠２３の一対の第二取付片２３２が、箱本体２２の一対の側板２２２，２２３に固定されることで、一体化される。これにより、取付枠２４と箱本体２２は、断熱枠２３を挟んで一体に構成される。取付片２３１，２３２は、例えば、ねじ等の固定具を用いて固定される。取付枠２４と箱本体２２との間には、全周に亘って断熱枠２３が介在する。本実施形態では、取付枠２４と箱本体２２は、互いに直接接触していない。
【００３５】
化粧板８は、箱２の内側上面を構成する第一化粧板８０と、箱２の左右の内側面を構成する第二化粧板８１及び第三化粧板８２を含む。第二化粧板８１は、右側の化粧板であり、第三化粧板８２は、左側の化粧板である。化粧板８は、天板２２０、底板２２１、第一側板２２２、及び第二側板２２３よりも断熱性の高い材料で形成されている。化粧板８は、例えば樹脂製である。
【００３６】
第一化粧板８０は、箱本体２２の上壁２５の下面と、断熱枠２３の上側の横枠部分２３４の下面と、取付枠２４の上側の横枠部分２４５の下面を覆う。第二化粧板８１は、箱本体２２の右の側壁２７の左面と、断熱枠２３の右側の縦枠部分２３３の左面と、取付枠２４の右側の縦枠部分２４４の左面を覆う。第三化粧板８２は、箱本体２２の左の側壁２８の右面と、断熱枠２３の左側の縦枠部分２３３の右面と、取付枠２４の左側の縦枠部分２４４の右面を覆う。化粧板８０，８１，８２のそれぞれは、取付枠２４に対して、例えばねじ等の固定具で、取り付けられる。
【００３７】
箱本体２２内の断熱材７０，７２，７３と、取付枠２４の上側の横枠部分２４５内及び左右一対の縦枠部分２４４内の第五断熱材７４は、化粧板８０，８１，８２で覆われることで、箱２の内部への露出が防がれる。
【００３８】
続いて、屋外側扉３について説明する。以下では、屋外側扉３を閉じた状態を基準として、屋外側扉３の各構成について説明する。
【００３９】
屋外側扉３は、扉本体３０と、扉本体３０に設けられた郵便受け口３１と、扉本体３０に設けられた荷受け処理装置３２を備える。屋外側扉３は、取付枠２４のヒンジ部２４２の上下一対の第一連結部２４６に、回転自在に連結される。
【００４０】
扉本体３０は、金属製であり、後方に開口した扁平な箱型に設けられている。詳しくは、扉本体３０は、矩形板状の本体部と、本体部の各端辺から後方に向けて延長された板状の周縁部を有する。郵便受け口３１は、上下方向に長い矩形状の孔であり、扉本体３０を前後方向に貫通している。郵便受け口３１は、扉本体３０のうち、右側（つまり箱２のヒンジ部２４２に近い側）の領域に位置している。
【００４１】
荷受け処理装置３２は、宅配業者によって操作される装置である。荷受け処理装置３２は、屋外側扉３を開くための開ボタン３２０と、屋外側扉３を施錠可能な状態に操作するための施錠レバー３２１（図１参照）と、配達伝票を差し込むための差込口３２２と、配達伝票に捺印するための捺印ボタン３２３を有する。さらに荷受け処理装置３２は、荷物の受け取りの可、不可を表示する表示部３２４を有する。
【００４２】
図１に示すように、荷受け処理装置３２は、施錠レバー３２１の操作によって、取付枠２４に対して施錠可能となる施錠部３２５を有する。さらに荷受け処理装置３２は、開ボタン３２０、施錠レバー３２１、捺印ボタン３２３、表示部３２４、及び施錠部３２５をリンクさせるリンク機構３２６と、リンク機構３２６を覆うカバー３２７を有する。リンク機構３２６の一部は、カバー３２７から屋内側（後側）に露出している。
【００４３】
図３に示すように、荷受け処理装置３２は、扉本体３０のうち、左側（つまり箱２のヒンジ部２４２から遠い側）の領域に位置している。扉本体３０の左側の領域には、前後方に貫通するように開口が設けられており、この開口に荷受け処理装置３２が取り付けられている。荷受け処理装置３２は、扉本体３０から後方（屋内側）に突出している。荷受け処理装置３２のうち、開ボタン３２０、差込口３２２、捺印ボタン３２３、及び表示部３２４は、前方に露出し、施錠レバー３２１及び施錠部３２５は、後方に露出している。
【００４４】
表示部３２４は、施錠レバー３２１の操作に対応して、表示内容が変更される。施錠レバー３２１が操作されて屋外側扉３が施錠可能な状態となったときに、表示部３２４には、例えば「使用中」と表示される。屋内側扉５の後述する第一鍵装置５３が操作されて屋外側扉３の施錠状態が解除されたときに、表示部３２４には、例えば「受け取りできます」と表示される。
【００４５】
続いて、第二屋外側扉４について説明する。以下では、第二屋外側扉４を閉じた状態を基準として、第二屋外側扉４の各構成について説明する。
【００４６】
図１及び図５Ａ〜Ｃに示すように、第二屋外側扉４は、屋外側扉３よりも断熱性が高く、閉じた状態で屋外側扉３を屋外側から覆うように構成されている。第二屋外側扉４は、取付枠２４のヒンジ部２４２の上下一対の第二連結部２４７（図３参照）に、回転自在に連結される。第二屋外側扉４は、閉じる方向に付勢された状態で、第二連結部２４７に連結される。
【００４７】
第二屋外側扉４は、後面（閉じた状態で屋内側を向く面）に凹部４０を有する。凹部４０は、屋外側扉３と第二屋外側扉４が閉じた状態にあるときに、屋外側扉３が嵌まるように構成されている。屋外側扉３と第二屋外側扉４が閉じた状態にあるときに、凹部４０内に位置する屋外側扉３は、凹部４０に当たってもよいし、凹部４０から僅かに離れて位置してもよい。
【００４８】
第二屋外側扉４は、金属製の屋外側ハウジング４１と、樹脂製の屋内側ハウジング４２と、屋外側ハウジング４１と屋内側ハウジング４２の間に介在する断熱材４３を含む。屋内側ハウジング４２に、凹部４０が設けられている。
【００４９】
屋外側ハウジング４１は、後方に開口した扁平な箱型である。詳しくは、屋外側ハウジング４１は、矩形板状の本体部４１０と、本体部４１０の各端辺から後方に延長された板状の側壁部４１１と、各側壁部４１１の後端から内側に延長された板状の後壁部４１２を含む。
【００５０】
屋内側ハウジング４２は、矩形板状の本体部４２０と、本体部４２０の各端辺から後方に延長された板状の側壁部４２１と、側壁部４２１の後端から外側に延長された板状のフランジ部４２２を含む。本体部４２０と側壁部４２１が、凹部４０を構成している。左の側壁部４２１から左方に延長されたフランジ部４２２には、上下方向の中央部に、左方及び後方に開口した凹み４２３が設けられている。凹み４２３は、第二屋外側扉４の開閉の際に、指や爪が差し込まれる掘り込み型の取っ手を構成する。
【００５１】
屋内側ハウジング４２のフランジ部４２２を、屋外側ハウジング４１の後壁部４１２の後面に重ねた状態で、本体部４１０，４２０間と側壁部４１１，４２１間にはそれぞれ隙間が形成される。これらの隙間が、断熱材４３によって埋められる。断熱材４３は、発泡ウレタン、あるいは、隙間を埋める形状に成形されたウレタンフォームである。フランジ部４２２と後壁部４１２は、例えば両面テープを介して接着される。
【００５２】
第二屋外側扉４は、例えば、屋内側ハウジング４２のフランジ部４２２を屋外側ハウジング４１の後壁部４１２の後面に重ねた状態で、屋内側ハウジング４２または屋外側ハウジング４１の一部に設けた孔から発泡ウレタンを注入することによって形成される。この場合、屋内側ハウジング４２と屋外側ハウジング４１を発泡ウレタンの接着力によって一体化することができ、屋内側ハウジング４２と屋外側ハウジング４１をねじ固定する必要がなくて、製造しやすい。
【００５３】
第二屋外側扉４には、風で開くことを抑制するためのマグネット（図示せず）が取り付けられる。マグネットは、例えば、屋内側ハウジング４２と屋外側ハウジング４１の間に入れた状態で発泡ウレタンを注入することで、ねじ等を用いずに、第二屋外側扉４内に簡単に取り付けることができる。
【００５４】
なお、第二屋外側扉４の屋外側の面には、荷受けボックス１が、郵便受け、兼、宅配受けであることを知らせる表示部が設けられてもよい。
【００５５】
続いて、屋内側扉５について説明する。以下では、屋内側扉５を閉じた状態を基準として、屋内側扉５の各構成について説明する。
【００５６】
図２、図３及び図５Ａに示すように、屋内側扉５は、前方に開口した扁平な箱型の金属製のハウジング５０と、ハウジング５０の前面を覆う断熱材５１と、断熱材５１を覆う樹脂製のカバー板５２と、第一鍵装置５３と、第二鍵装置５４を含む。屋内側扉５は、箱２の後端部の上下一対のヒンジ部２９に、回転自在に連結される。
【００５７】
ハウジング５０は、矩形板状の本体部と、本体部の各端辺から前方に延長された断面Ｌ字状の周壁部を含む。ハウジング５０と断熱材５１は、断熱材５１がハウジング５０の本体部の前面を覆い、ハウジング５０の周縁部が断熱材５１を囲むように一体化されて、１枚の矩形板をなす。断熱材５１の前面のうち、断熱材５１の周縁部によって覆われない部分が、カバー板５２で覆われている。
【００５８】
第一鍵装置５３は、屋内側扉５を箱２の箱本体２２に対して施錠または解錠するための装置であり、且つ、屋外側扉３の施錠状態を解除するための装置である。本実施形態では、第一鍵装置５３は、屋内側から鍵の差し込み無しで操作することのできる装置である。
【００５９】
第一鍵装置５３は、屋外側扉３の荷受け処理装置３２のリンク機構３２６のうちカバー３２７から露出した部分に対して、リンク機構９を介して接続されている。リンク機構９は、箱２の左の側壁２８内に位置し、箱２の内部空間に対しての露出が抑えられている。リンク機構９は、第一鍵装置５３が解錠操作されたときに、屋外側扉３及び屋内側扉５の施錠状態を解除する機構である。荷受けボックス１の所有者は、屋内から第一鍵装置５３を操作することで、屋内側扉５の施錠状態を解除することができ、さらにこのとき、屋外側扉３の施錠状態も解除することができる。屋内側扉５は、第一鍵装置５３を覆う箱状のカバー材５５をさらに備える。カバー材５５によって、第一鍵装置５３の箱２内への露出が抑制される。
【００６０】
カバー材５５内には、熱膨張性樹脂が貼り付けられる。火事の際には、熱膨張性樹脂が膨張することで第一鍵装置５３を施錠状態で固定することができ、屋内側扉５が開くことを防いで、防火性の向上を図ることができる。また、カバー材５５があることで、ものさし等によって第一鍵装置５３の施錠状態が解除されることを抑制でき、防犯性の向上を図ることができる。
【００６１】
第二鍵装置５４は、屋内側扉５を箱２の箱本体２２に対して施錠または解錠するための装置である。本実施形態では、第二鍵装置５４は、屋内側から鍵の差し込み無しで操作することのできる装置である。荷受けボックス１の所有者は、屋内から第二鍵装置５４を操作することによって、屋内側扉５を屋内側から施錠または解錠することができる。
【００６２】
本実施形態では、第一鍵装置５３と第二鍵装置５４の両方を解錠操作することによって、屋内側扉５の箱２に対する施錠状態を解除することができる。したがって、鍵装置５３，５４のうち一方だけを解錠操作しただけでは、屋内側扉５の箱２に対する施錠状態は解除されない。
【００６３】
続いて、仕切り材６について説明する。
【００６４】
仕切り材６は、箱２内に着脱自在に設けられる。仕切り材６は、例えば金属製である。図１、図２及び図５に示すように、仕切り材６は、箱２の内部を、荷物が収納される収納空間Ｓ１と、収納空間Ｓ１の側方に位置し、且つ、郵便物が収納される第二収納空間Ｓ２とに仕切るように構成されている。
【００６５】
仕切り材６は、第一仕切り板６０と、第一仕切り板６０の屋外側の端部から右側（つまり第一側板２２２に向けて）に延長された第二仕切り板６１を有する。図３に示すように、第一仕切り板６０は、矩形板状の本体部６００と、本体部６００の上端から右側（第二収納空間Ｓ２側）へ延長された上突片６０１と、本体部６００の下端から右側（第二収納空間Ｓ２側）へ延長された下突片６０２を有する。さらに第一仕切り板６０は、本体部６００の後端から右側（第二収納空間Ｓ２側）へ延長された固定片６０３を有する。固定片６０３には、複数の貫通孔６０４が設けられる。
【００６６】
図１及び図２に示すように、本体部６００は、箱２の内部を前後方向に亘って、収納空間Ｓ１と第二収納空間Ｓ２とに仕切る。本実施形態では、本体部６００の前端部は、取付枠２４の枠本体２４０の前端よりも前方に突出している。
【００６７】
図３に示すように、第二仕切り板６１は、矩形板状の本体部６１０と、本体部６１０の上端から後方に延長された上突片６１１と、本体部６１０の下端から後方に延長された下突片６１２と、本体部６１０の右端から後方に延長された補強片６１３を有する。上突片６１１と下突片６１２のそれぞれは、後方にさらに延長された差込片６１７を有する。突片６１１，６１２のそれぞれの差込片６１７は、取付枠２４の引掛け部材１３の差込溝１３０に差込可能である。
【００６８】
本体部６１０には、第二郵便受け口６２が設けられている。第二郵便受け口６２は、上下方向に長い矩形状の孔であり、本体部６１０を前後方向に貫通している。第二郵便受け口６２は、本体部６１０のうち、閉じた状態の屋外側扉３の郵便受け口３１に対向する箇所に位置している（図５Ｃ参照）。本体部６１０は、閉じた状態の屋外側扉３の扉本体３０に当たるかあるいは扉本体３０との間に僅かな隙間が形成される前後位置に位置している。
【００６９】
第二仕切り板６１は、第二郵便受け口６２を閉じるように付勢されたフラップ６１４を有する。図５Ｃに示すように、第二仕切り板６１は、本体部６１０の後面に設けられた、ヒンジ部６１５と付勢部６１６をさらに有する。フラップ６１４は、ヒンジ部６１５に回転自在に連結され、かつ付勢部６１６によって前方に付勢されている。本実施形態では、フラップ６１４は、閉じた状態で、第二郵便受け口６２と郵便受け口３１の両方を閉塞するように、本体部６１０から前方に突出している。
【００７０】
続いて、棒状部材１２について説明する。
【００７１】
棒状部材１２は、箱２内に固定される部材であり、仕切り材６の第一仕切り板６０の屋内側の端部（つまり第一仕切り板６０の後端部の固定片６０３）が固定される部分を有する。詳しくは、棒状部材１２は、図３及び図５に示すように、平断面Ｌ字状の本体部１２０と、本体部１２０の上端から後方に延長された上固定片１２１と、本体部１２０の下端から前方に延長された下固定片１２２を含む。本体部１２０が、仕切り材６の固定片６０３が固定される部分である。
【００７２】
棒状部材１２は、ねじ等の取付具で、下固定片１２２が箱２の下壁２６の後端部の右寄りの部分に対して固定され、上固定片１２１が箱２の上壁２５の後端部の右寄りの部分に対して固定されている。なお、棒状部材１２は、溶接などで箱２内に固定されてもよい。
【００７３】
続いて、上述した荷受けボックス１の設置方法の一例について説明する。
【００７４】
荷受けボックス１は、図４Ａ及び図５Ａに示すように、建物の外壁１００を屋内外に貫通するように設置される。
【００７５】
外壁１００は、左右一対の柱１０１と、左右一対の柱１０１の屋外側に位置する縦胴縁１０２及び板状の外装材１０３と、左右一対の柱１０１の屋内側に位置する内装材１０４と、左右一対の柱１０１間に架け渡される上下一対の横架材１０５を含む。外壁１００はさらに、外装材１０３と内装材１０４の間に位置する断熱材１０６を含む。外装材１０３は、例えば、サイディング材であり、内装材１０４は、例えば、石膏ボードである。
【００７６】
左右一対の柱１０１と上下一対の横架材１０５によって囲まれる領域が、荷受けボックス１が設置される設置孔１０７である。外装材１０３には、荷受けボックス１が挿通される貫通孔１０８が設けられ、内装材１０４には、荷受けボックス１が挿通される貫通孔１０９が設けられている。孔１０７，１０８，１０９は、正面視における大きさが互いに同じであり、前後方向に一直線上に並ぶ。
【００７７】
荷受けボックス１は、仕切り材６が取り付けられていない状態で、外装材１０３及び内装材１０４が取り付けられる前の状態の外壁１００に対して、設置される。なお、荷受けボックス１の箱２内には棒状部材１２が固定されている。
【００７８】
まず、図６Ａに示すように、荷受けボックス１を、設置孔１０７に屋外側から挿入する。荷受けボックス１は、左右一対の固定片２４１が左右一対の柱１０１の前面に当たるまで挿入する。
【００７９】
次いで、図６Ｂに示すように、左右一対の固定片２４１に、屋外側からねじ等の複数の固定具１１０を打ち込んで、左右一対の固定片２４１のそれぞれを左右一対の柱１０１に対して固定する。
【００８０】
次いで、箱２の左右の側壁２７，２８に、箱２の内側からねじ等の複数の固定具１１１を打ち込んで、左右の側壁２７，２８のそれぞれを左右一対の柱１０１に対して固定する。固定具１１１の打ち込みは、屋外側扉３と第二屋外側扉４を開いて、屋外側開口２０から行う。このとき、棒状部材１２は箱２内の後端部に位置するため、作業の邪魔になりにくい。なお、固定具１１１の打ち込みは、屋内側扉５を開いて、屋内側開口２１から行ってもよい。次いで、左右の側壁２７，２８の各固定具１１１を打ち込んだ箇所に、シール１１２を貼り付けて、各固定具１１１を覆い隠す（図６Ｃ参照）。
【００８１】
次いで、図６Ｃに示すように、荷受けボックス１が貫通孔１０８に挿通されるように、外装材１０３を左右一対の柱１０１の屋外側に固定する。このとき、荷受けボックス１の左右一対の固定片２４１は、外装材１０３の貫通孔１０８の縁部分によって屋外側に対して覆い隠される。
【００８２】
次いで、図６Ｄに示すように、屋外側開口２０から仕切り材６を、箱２内に挿入する。このとき、仕切り材６の上下一対の差込片６１７をそれぞれ、取付枠２４の上下一対の引掛け部材１３の差込溝１３０に差し込み、仕切り材６の固定片６０３を棒状部材１２の本体部１２０の後面に重ねる。次いで、屋内側扉５を開いて、屋内側（後側）から複数の取付具６３で仕切り材６の固定片６０３を棒状部材１２の本体部１２０に固定する。これにより、仕切り材６が、箱２内に取り付けられる。
【００８３】
次いで、荷受けボックス１が貫通孔１０９に挿通されるように、内装材１０４を左右一対の柱１０１の屋内側（後側）に固定する。
【００８４】
以上のようにして、荷受けボックス１は、外壁１００に屋内外に貫通するように取り付けられる。
【００８５】
続いて、本実施形態の荷受けボックス１の利用方法の一例について説明する。
【００８６】
荷受けボックス１は、図４Ａに示すように、屋外側扉３と第二屋外側扉４を閉じた状態が、荷物及び郵便物の受け取りを待つ待機状態である。このとき、第二屋外側扉４によって、屋外側扉３の外部への露出を防ぐことができる。またこのとき、第二屋外側扉４は、第二連結部２４７の付勢部材と第二屋外側扉４に設けたマグネットによって閉じた状態を維持しやすく、風で開きにくくなっている。
【００８７】
荷物または郵便物の配達業者は、図４Ｂに示すように、第二屋外側扉４を開くことで、郵便受け口３１への郵便物の投入、または、荷受け処理装置３２の操作を行うことができる。
【００８８】
荷物の配達業者は、開ボタン３２０を押すことで、屋外側扉３を開いて、収納空間Ｓ１に荷物を収容することができる（図１参照）。その後、配達業者は、施錠レバー３２１を操作して屋外側扉３を施錠可能な状態にし、屋外側扉３を閉じることで、屋外側扉３を箱２に対して施錠することができる。その後、配達業者は、差込口３２２に配達伝票を差し込んで捺印ボタン３２３を押すことで、配達伝票に捺印することができる。施錠レバー３２１が操作されることで、表示部３２４には、例えば「使用中」と表示される。その後、配達業者は、第二屋外側扉４を閉じる。なお、第二屋外側扉４は、第二連結部２４７の付勢部材によって閉じる方向へ付勢されているため、配達業者が第二屋外側扉４を閉じ忘れた場合でも、自動的に閉じる。
【００８９】
荷受けボックス１の所有者は、屋内側から鍵装置５３，５４の両方を操作することによって、屋内側扉５を開いて、収納空間Ｓ１にある荷物と、第二収納空間Ｓ２にある郵便物を取り出すことができる（図２参照）。このとき、第一鍵装置５３が操作されることで、屋外側扉３の施錠状態が解除され、表示部３２４には、例えば「受け取りできます」と表示することができる。
【００９０】
（変更例）
続いて、実施形態１の荷受けボックス１の変更例について説明する。
【００９１】
荷受けボックス１は、箱本体２２と屋外側扉３とが、断熱枠２３を挟んで一体に構成されていればよく、屋外側扉３及び第二屋外側扉４は、断熱枠２３に回転自在に連結されてもよい。例えば、取付枠２４は、金属製ではなく樹脂製であってもよく、断熱枠２３を兼ねてもよい。あるいは、断熱枠２３は、取付枠２４の各構造（左右一対の固定片２４１、上下一対のヒンジ部２４２、水切り部２４３、及び上下一対の引掛け部材１３）を備えてもよい。
【００９２】
荷受けボックス１は、第二屋外側扉４を備えなくてもよく、屋外側扉３が屋外側に露出するように設けられてもよい。
【００９３】
また、第二屋外側扉４は、後面に凹部４０を有さなくてもよく、屋外側扉３の前面のみを覆うように構成されてもよい。
【００９４】
また、荷受けボックス１は、仕切り材６を備えなくてもよく、この場合、荷受けボックス１は、荷物のみを荷受けするボックスとして利用可能である。仕切り材６を備えない場合、屋内側開口２１は、箱２の屋内側の端部に限らず、箱２の屋内側に露出する部分のうちのその他の部分（箱２の右の側壁２７や左の側壁２８等）に設けられてもよい。
【００９５】
また、荷受けボックス１は、箱２内に断熱材７を含まなくてもよい。
【００９６】
また、箱本体２２の下壁２６は、平板状の底板２２１と、その上面を覆う第二断熱材７１と、第二断熱材７１の上面を覆う樹脂製の化粧板で構成されてもよい。
【００９７】
また、荷受けボックス１は、棒状部材１２を備えなくてもよい。この場合、仕切り材６は、例えば、第一仕切り板６０の上下の突片６０１，６０２の後端部を箱２の上下の壁２５，２６にねじ等の取付具で固定することによって、箱２内に固定されてもよい。
【００９８】
（作用効果）
以上説明した実施形態１の荷受けボックス１は、第一の特徴として、以下の構成を備える。
【００９９】
すなわち、実施形態１の荷受けボックス１は、建物の外壁１００を屋内外に貫通するように設置される。実施形態１の荷受けボックス１は、荷物を収納する収納空間Ｓ１を内部に有する箱２と、箱２の屋外側に露出する部分に設けられた屋外側開口２０と、屋外側開口２０を開閉する屋外側扉３を備える。さらに実施形態１の荷受けボックス１は、箱２の屋内側に露出する部分に設けられた屋内側開口２１と、屋内側開口２１を開閉する屋内側扉５を備える。
【０１００】
箱２は、箱本体２２と、箱本体２２の屋外側に位置する断熱枠２３を含む。屋外側扉３と箱本体２２は、断熱枠２３を挟んで一体に構成されている。
【０１０１】
上記の第一の特徴を備えることで、実施形態１の荷受けボックス１では、屋外側扉３と箱本体２２の間での熱移動を、断熱枠２３によって抑制することができる。これにより、実施形態１の荷受けボックス１では、箱２の内外の温度差を軽減することができる。
【０１０２】
さらに、実施形態１の荷受けボックス１は、第二の特徴として、以下の構成を付加的に備える。
【０１０３】
すなわち、実施形態１の荷受けボックス１は、第二屋外側扉４をさらに備える。第二屋外側扉４は、屋外側扉３よりも断熱性が高く、閉じた状態で屋外側扉３を屋外側から覆うように構成されている。
【０１０４】
上記の第二の特徴を備えることで、実施形態１の荷受けボックス１では、断熱性の高い第二屋外側扉４によって屋外側扉３を屋外側から覆うことができ、建物の屋外側の気温に影響されて屋外側扉３自体の温度が変化することを抑制できる。これにより、実施形態１の荷受けボックス１では、屋外側扉３と収納空間Ｓ１，Ｓ２の間での熱の移動も抑制できる。
【０１０５】
さらに、実施形態１の荷受けボックス１は、第三の特徴として、以下の構成を付加的に備える。
【０１０６】
すなわち、実施形態１の荷受けボックス１では、第二屋外側扉４は、閉じた状態で屋内側を向く面に凹部４０を有する。凹部４０は、屋外側扉３と第二屋外側扉４が閉じた状態にあるときに、屋外側扉３が嵌まるように構成されている。
【０１０７】
上記の第三の特徴を備えることで、実施形態１の荷受けボックス１では、第二屋外側扉４の凹部４０に屋外側扉３が嵌まることで、屋外側扉３自体の温度変化をさらに抑制することができ、屋外側扉３と収納空間Ｓ１，Ｓ２の間での熱の移動をさらに抑制できる。
【０１０８】
さらに、実施形態１の荷受けボックス１は、第四の特徴として、以下の構成を付加的に備える。
【０１０９】
すなわち、実施形態１の荷受けボックス１では、箱２に含まれる断熱材７と、箱２の内部に設けられる仕切り材６をさらに備える。
【０１１０】
仕切り材６は、箱２の内部を、収納空間Ｓ１と、収納空間Ｓ１の側方に位置し且つ郵便物が収納される第二収納空間Ｓ２と、に仕切るように構成されている。
【０１１１】
上記の第四の特徴を備えることで、実施形態１の荷受けボックス１は、荷物と郵便物をそれぞれ別々の空間（収納空間Ｓ１，Ｓ２）に分けて荷受けすることができる。また、実施形態１の荷受けボックス１では、箱２に断熱材７が含まれることで、仕切り材６が箱２の壁間で熱橋となることを抑制することができる。
【０１１２】
さらに、実施形態１の荷受けボックス１は、第五の特徴として、以下の構成を付加的に備える。
【０１１３】
すなわち、実施形態１の荷受けボックス１では、箱本体２２は、天板２２０と、底板２２１と、第一側板２２２と、第一側板２２２に対向する第二側板２２３を一体に含む。
【０１１４】
断熱材７は、天板２２０を覆う第一断熱材７０と、底板２２１を覆う第二断熱材７１と、第一側板２２２を覆う第三断熱材７２と、第二側板２２３を覆う第四断熱材７３を含む。
【０１１５】
第一断熱材７０は、天板２２０の下面を覆い、仕切り材６と天板２２０の間に介在する。
【０１１６】
上記の第五の特徴を備えることで、実施形態１の荷受けボックス１では、仕切り材６が天板２２０に直接接触することを防いで、仕切り材６と天板２２０の間での熱移動を抑制することができる。
【０１１７】
さらに、実施形態１の荷受けボックス１は、第六の特徴として、以下の構成を付加的に備える。
【０１１８】
すなわち、実施形態１の荷受けボックス１では、仕切り材６は、箱２の内部を、収納空間Ｓ１と第二収納空間Ｓ２とに仕切る第一仕切り板６０と、第一仕切り板６０の屋外側の端部から第一側板２２２に向けて延長された第二仕切り板６１を含む。
【０１１９】
第三断熱材７２は、第一側板２２２のうち箱２の内部を向く面を覆い、第二仕切り板６１と第一側板２２２の間に介在する。
【０１２０】
上記の第六の特徴を備えることで、実施形態１の荷受けボックス１では、仕切り材６が第一側板２２２に直接接触することを防いで、仕切り材６と第一側板２２２の間での熱移動を抑制することができる。
【０１２１】
さらに、実施形態１の荷受けボックス１は、第七の特徴として、以下の構成を付加的に備える。
【０１２２】
すなわち、実施形態１の荷受けボックス１では、底板２２１の下面は、第二断熱材７１で覆われ、底板２２１の上面は、荷物及び郵便物が置かれる受け面を構成する。
【０１２３】
上記の第七の特徴を備えることで、実施形態１の荷受けボックス１では、底板２２１を例えば金属板で形成して受け面の耐久性を高めたうえで、箱２の底部分の壁の断熱性を第二断熱材７１によって確保することができる。
【０１２４】
また、実施形態１の荷受けボックス１では、箱本体２２の壁２５，２６，２７，２８の内部と、取付枠２４の各枠部分２４４，２４５の内部に断熱材７がそれぞれ含まれているため、箱本体２２及び取付枠２４自体の温度変化も抑制することができる。
【０１２５】
また、実施形態１の荷受けボックス１は、下面を除いた外面の略全体が金属製であるため、防火性の確保もしやすい。
【０１２６】
また、実施形態１の荷受けボックス１では、荷受けのための構造（荷受け処理装置３２及び郵便受け口３１）を、屋外側扉３のみに設けることで、第二屋外側扉４の断熱性の確保が全体的にしやすい。つまり、実施形態１の荷受けボックス１では、第二屋外側扉４に、部分的に断熱性の低い部分が形成されることを防ぐことができる。
【０１２７】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１２８】
１      荷受けボックス
２      箱
２０    屋外側開口
２１    屋内側開口
２２    箱本体
２２０  天板
２２１  底板
２２２  第一側板
２２３  第二側板
２３    断熱枠
３      屋外側扉
４      第二屋外側扉
４０    凹部
５      屋内側扉
６      仕切り材
６０    第一仕切り板
６１    第二仕切り板
７      断熱材
７０    第一断熱材
７１    第二断熱材
７２    第三断熱材
７３    第四断熱材
１００  外壁
Ｓ１    収納空間
Ｓ２    第二収納空間
【図１】
2018139764.tif 000003
【図２】
2018139764.tif 000004
【図３】
2018139764.tif 000005
【図４】
2018139764.tif 000006
【図５】
2018139764.tif 000007
【図６】
2018139764.tif 000008